(57)【要約】      （修正有）【課題】滑らかに明るさを変化させるグラデーションを発光領域に表示することが可能な表示装置の提供。【解決手段】表示装置には、情報を表示する表示領域と、光を出射させることで発光する周辺の発光領域１３とが形成されている。表示装置は、インジケータ光源４３と、透光性の材料によって形成される着色透過部材６８とを備えている。着色透過部材６８には、インジケータ光源４３から放射された光を入射させる入射面６１、帯状に延伸し入射面６１から入射させた光を出射させることで周辺発光領域１３を形成する出射面６３に加えて、入射面６１から出射面６３に向かう光を減衰させる減衰部６２が形成されている。この減衰部６２につき、出射面６３から入射面６１までの間の厚さは、出射面６３の延伸方向の中央部６４から両端部６５ａ，６５ｂに向かうに従い、厚くされている。【選択図】図２
2014224712.tif 000002
【特許請求の範囲】
【請求項１】
情報を表示する表示領域（１１）と、光を出射させることで発光する発光領域（１３）と、が形成される表示装置であって、
前記発光領域から出射される光を放射させる光源（４３）と、
透光性の材料によって形成され、前記光源から放射された光を入射させる入射面（６１）、帯状に延伸し前記入射面から入射させた光を出射させることで前記発光領域を形成する出射面（６３）、及び前記入射面及び前記出射面間に形成され前記入射面から前記出射面に向かう光を減衰させる減衰部（６２）、を有する透光部材（６８）と、を備え、
前記出射面から前記入射面までの間に形成される前記減衰部の厚さは、前記出射面における延伸方向の中央（６４）から両端部（６５ａ，６５ｂ）に向かうに従い、厚くなることを特徴とする表示装置。
【請求項２】
前記出射面の幅は、前記両端部に向かうに従い、狭くなることを特徴とする請求項１に記載の表示装置。
【請求項３】
前記入射面のうちで前記減衰部を挟んで前記両端部の反対側に位置する両端領域（６１ａ，６１ｂ）を覆うことにより、前記両端領域への光の入射を妨げる入射遮光部（８１）、を備えることを特徴とする請求項１又は２に記載の表示装置。
【請求項４】
前記入射面と対向して設けられ、前記光源から放射された光を拡散させつつ前記入射面に導光する導光部材（５０）、を備えることを特徴とする請求項１〜３のいずれか一項に記載の表示装置。
【請求項５】
前記発光領域は、前記表示領域の外周側に形成され、
前記出射面は、前記表示領域の輪郭に沿って弧状に湾曲することを特徴とする請求項１〜４のいずれか一項に記載の表示装置。
【請求項６】
前記透光部材は、前記発光領域の周囲に形成されて当該透光部材からの光の出射を遮る出射遮光部（６９ａ）よりも前記表示領域の向く表示方向（ＳＤ）に突出し、頂面（６６ａ）によって前記出射面を形成する突出壁（６６）、を有することを特徴とする請求項１〜５のいずれか一項に記載の表示装置。
【請求項７】
前記頂面は、前記表示方向と直交する仮想の平面（ＢＰ）に対して傾斜する姿勢に形成されることを特徴とする請求項６に記載の表示装置。
【請求項８】
前記透光部材は、透過する光を減衰させる半透過材によって形成されることを特徴とする請求項１〜７のいずれか一項に記載の表示装置。
【発明の詳細な説明】
【技術分野】
【０００１】
本発明は、情報を表示する表示装置に関する。
【背景技術】
【０００２】
従来、例えば特許文献１に開示の計器盤では、情報を表示する液晶表示装置は、透光性を有する生地によって形成されたメータ文字盤に設けられる開口部を通して、視認者に視認される。このメータ文字盤において、開口部の縁部には、グラデーション層が、印刷や転写等によって形成されている。
【先行技術文献】
【特許文献】
【０００３】
【特許文献１】特許第４６６０２０６号公報
【発明の概要】
【発明が解決しようとする課題】
【０００４】
さて、本願発明者らは、特許文献１のような印刷によるグラデーションを、帯状に延伸する形状の出射面に設けることにより、出射面により形成される発光領域の明るさを、中央から両端部に向かうに従って減少させる意匠を試みた。しかし、以下に説明する理由のため、発光領域の明るさを滑らかに変化させることにつき、困難であることが判明したのである。
【０００５】
詳しく説明すると、上述のような印刷では、遮光性のドットの大きさや密度を変化させることによって、グラデーションが表現されている。故に、印刷では、表現可能な階調数が限られる。その結果、延伸方向に沿って濃淡の変化するグラデーションを印刷で出射面に形成した場合、濃淡の変化は、段階的なものとなり易い。そのため、出射面から出射される出射光の光量の変化も、段階的なものとなってしまうのである。こうした理由により、滑らかに明るさを減少させるグラデーションを発光領域に表示することは、困難であった。
【０００６】
本発明は、上記問題に鑑みてなされたものであって、その目的は、滑らかに明るさを変化させるグラデーションを発光領域に表示することが可能な表示装置を提供することである。
【課題を解決するための手段】
【０００７】
上記目的を達成するために、請求項１に記載の発明は、情報を表示する表示領域（１１）と、光を出射させることで発光する発光領域（１３）と、が形成される表示装置であって、発光領域から出射される光を放射させる光源（４３）と、透光性の材料によって形成され、光源から放射された光を入射させる入射面（６１）、帯状に延伸し入射面から入射させた光を出射させることで発光領域を形成する出射面（６３）、及び入射面及び出射面間に形成され入射面から出射面に向かう光を減衰させる減衰部（６２）、を有する透光部材（６８）と、を備え、出射面から入射面までの間に形成される減衰部の厚さは、出射面における延伸方向の中央（６４）から両端部（６５ａ，６５ｂ）に向かうに従い、厚くなることを特徴としている。
【０００８】
この発明では、出射面から入射面までの間に形成される減衰部の厚さが、帯状に延伸する出射面の中央から両端部に向かうに従って厚くされている。故に、減衰部の厚みを両端部に向かって連続的に厚くすれば、入射面から出射面に向かう光を減衰させる減衰作用は、出射面の両端部に向かうに従って、次第に強く発揮されるようになる。以上の構成であれば、出射面から出射される出射光の光量を、この出射面の延伸方向に沿って円滑に減少させるこが可能となる。したがって、出射面によって形成される発光領域は、中央から両端部に向かって、滑らかに明るさを減少させるグラデーションを表示することができる。
【０００９】
尚、上記括弧内の参照番号は、本発明の理解を容易にすべく、後述する実施形態における具体的な構成との対応関係の一例を示すものにすぎず、なんら本発明の範囲を制限することを意図したものではない。
【図面の簡単な説明】
【００１０】
【図１】本発明の一実施形態によるコンビネーションメータの正面図である。
【図２】半透過プリズム及びインジケータ導光体の形状を模式的に示す図であって、図１のＩＩ−ＩＩ線断面図である。
【図３】半透過プリズム及びインジケータ導光体の形状を模式的に示す図である。
【図４】コンビネーションメータの電気的構成を示すブロック図である。
【図５】図３のＶ−Ｖ線断面図である。
【図６】図３のＶＩ−ＶＩ線断面図である。
【発明を実施するための形態】
【００１１】
以下、本発明の一実施形態を図面に基づいて説明する。
【００１２】
本発明の一実施形態によるコンビネーションメータ１００は、図１に示す正面側を運転席側に向けた姿勢にて、車両の車室内に設けられたインスツルメントパネル内に収容されている。コンビネーションメータ１００は、搭載された車両に関する種々の情報を表示する車両用の表示装置である。コンビネーションメータ１００は、タコメータ１０、並びに図示されないスピードメータ、水温計、及び燃料計等の計器によって構成されている。
【００１３】
タコメータ１０は、車両に搭載された内燃機関の出力軸の回転速度を、情報として表示領域１１に表示する。タコメータ１０の表示は、表示領域１１と、表示領域１１の外周側に形成される一組の周辺発光領域１３等とを組み合わせることで構成されている。以下の説明では、表示領域１１の向けられた方向を、図２に示すように表示方向ＳＤとし、この表示方向ＳＤとは反対の方向を、背面方向ＢＤとする。
【００１４】
まず、図１に示す表示領域１１による情報表示について、説明する。
【００１５】
表示領域１１は、表示板３０、及び表示板３０に沿って回転する指針２０等によって形成されている。表示板３０は、ポリカーボネート樹脂等の透光性の樹脂材料によって円盤状に形成されている。表示板３０には、出力軸の回転速度を表すためのアラビア数字を模った数字等の意匠部１５が、遮光性の印刷等によって形成されている。表示板３０は、背面方向ＢＤ（図２参照）からの光を透過させ、表示方向ＳＤ（図２参照）に出射させることにより、意匠部１５を発光表示させる。
【００１６】
指針２０は、透光性の樹脂材料によって形成されるポインタ２１と、遮光性の樹脂材料によって形成されるキャップ２２等とを組み合わせることによって構成されている。ポインタ２１は、表示板３０の中央部分から、当該表示板３０の径方向に沿って外周側に延伸している。キャップ２２は、表示板３０の中央部分に位置しており、ポインタ２１の基端部分を覆っている。指針２０は、ポインタ２１に入射させた光を表示方向ＳＤ（図２参照）に放射させることにより、当該ポインタ２１を発光表示させる。
【００１７】
次に、周辺発光領域１３によるインジケータ表示について説明する。
【００１８】
周辺発光領域１３は、例えば出力軸の回転速度に応じて発光色を変化させることにより、この回転速度に係る情報を、視認者の周辺視野にて把握可能にアンビエント表示する。周辺発光領域１３は、半透過プリズム６０等によって形成されている。周辺発光領域１３は、図２，３に示すインジケータ導光体５０によって半透過プリズム６０に導光された光を、半透過プリズム６０から出射させることにより、発光する。
【００１９】
半透過プリズム６０は、図１に示す表示領域１１の水平方向の両側に配置されている。半透過プリズム６０によって形成される周辺発光領域１３は、表示領域１１の円状の輪郭に沿って円弧状に湾曲している。図２，３に示す半透過プリズム６０は、入射面６１及び出射面６３を有している。
【００２０】
入射面６１は、半透過プリズム６０において背面方向ＢＤに位置する裏面に形成されている。入射面６１は、インジケータ導光体５０と対向している。入射面６１は、インジケータ導光体５０から出射された光を、半透過プリズム６０に入射させる。出射面６３は、半透過プリズム６０において表示方向ＳＤに位置するおもて面に形成されている。出射面６３は、表示板３０（図１参照）の外周側の縁部に沿って帯状に延伸することで、円弧状に形成されている。出射面６３は、入射面６１によって半透過プリズム６０に入射された光を出射させることにより、周辺発光領域１３を形成する。
【００２１】
インジケータ導光体５０は、アクリル樹脂等の透光性の樹脂材料によって形成されている。インジケータ導光体５０は、半透過プリズム６０の背面方向ＢＤに配置されている。インジケータ導光体５０は、入射面６１と対向して設けられ、後述するインジケータ光源４３から放射された光を拡散させつつ、入射面６１に導光する。インジケータ導光体５０は、入射面６１に沿った板状に形成される導光本体部５５と、導光本体部５５からインジケータ光源４３に向かって背面方向ＢＤに延伸する導光延伸部５６とを有している。インジケータ導光体５０には、インジケータ入射部５１、インジケータ拡散部５２、及びインジケータ出射部５３が形成されている。
【００２２】
インジケータ入射部５１は、導光延伸部５６の延伸方向の先端に形成されている。インジケータ入射部５１は、インジケータ光源４３と対向するよう配置され、当該光源４３の表示方向ＳＤに位置している。インジケータ入射部５１は、インジケータ光源４３から放射された光を、インジケータ導光体５０に入射させる。インジケータ拡散部５２は、導光延伸部５６から導光本体部５５に亘って形成されている。インジケータ拡散部５２は、導光延伸部５６から導光本体部５５に導かれた光を、拡散させつつインジケータ出射部５３に到達させる。インジケータ出射部５３は、導光本体部５５において表示方向ＳＤに位置するおもて面に形成されている。インジケータ出射部５３は、入射面６１と対向している。インジケータ出射部５３は、インジケータ拡散部５２によって予めムラを均された光を、入射面６１に向けて出射させる。
【００２３】
次に、コンビネーションメータ１００の電気的構成を、図２，４に基づいて説明する。コンビネーションメータ１００は、回路基板４０に実装された、指針光源４１、表示板光源４２、インジケータ光源４３、ステッパーモータ４４、及びメータ制御部４６等によって電気的に構成されている。尚、図２では、インジケータ光源４３を除く各構成の図示が省略されている。
【００２４】
指針光源４１、表示板光源４２、及びインジケータ光源４３は、例えば複数の発光ダイオード等によって構成されている。指針光源４１は、ポインタ２１（図１参照）を発光させる光を放射する光源である。表示板光源４２は、意匠部１５（図１参照）を発光させる光を放射する光源である。インジケータ光源４３は、周辺発光領域１３を発光させる光を放射する光源である。各光源４１〜４３は、メータ制御部４６に接続されており、メータ制御部４６から出力される駆動信号に基づいて、光を放射させる。
【００２５】
ステッパーモータ４４は、指針２０（図１参照）を回転させる機構である。ステッパーモータ４４は、メータ制御部４６に接続されており、メータ制御部４６から出力される制御信号に基づいて、指針２０を回転させる。
【００２６】
メータ制御部４６は、プログラムに基づいて作動するマイクロコンピュータ等によって構成されている。メータ制御部４６には、車載用のLocal Area Network（車内ＬＡＮ）９１、外部のバッテリ９５、及びイグニッション・リレー９４等が接続されている。さらに車内ＬＡＮ９１には電力供給制御回路９２等が接続されている。車内ＬＡＮ９１上に設けられた電力供給制御回路９２は、運転者によるイグニッション・スイッチ９３の押圧操作を検知して、イグニッション・リレー９４に電圧を印加し、当該リレー９４を通電状態にする。すると、メータ制御部４６は、駆動信号によって、各４１〜４３の発光を制御する。またメータ制御部４６は、制御信号によって、ステッパーモータ４４による指針２０（図１参照）の回転変位を制御する。以上により、コンビネーションメータ１００は、図１に示すような回転速度に応じた指針表示をタコメータ１０に形成させる。
【００２７】
以上のコンビネーションメータ１００において、周辺発光領域１３を発光させる半透過プリズム６０の構成を、図２，３，５，６に基づいて、さらに詳しく説明する。尚、以下の説明では、表示方向ＳＤに沿う方向を、半透過プリズム６０の厚さ方向とする。
【００２８】
図２，３に示すように、半透過プリズム６０は、透光性の樹脂材料と遮光性の樹脂材料との二色成形によって形成されている。半透過プリズム６０は、透光性の樹脂材料によって形成された着色透過部材６８と、遮光性の樹材材料によって形成された遮光部材６９とを備えている。
【００２９】
着色透過部材６８は、例えば薄い黒色（灰色）に着色されたアクリル樹脂等のスモーク材によって形成されており、入射した光の一部を吸収する。これにより、着色透過部材６８は、透過する光を減衰させることができる。着色透過部材６８には、上述した出射面６３及び入射面６１に加えて、減衰部６２が一体で形成されている。さらに着色透過部材６８には、弧状壁６６が形成されている。
【００３０】
出射面６３は、表示板３０（図１参照）の縁部に沿って帯状に延伸することにより、正面視にて三日月形状に形成されている。この出射面６３は、中央部６４及び先細領域６３ａ，６３ｂを有している。中央部６４は、出射面６３における延伸方向の中央に位置している。中央部６４における出射面６３の幅は、実質的に一定とされている。先細領域６３ａ，６３ｂは、出射面６３の延伸方向において中央部６４の両側に位置しており、中央部６４と連続している。各先細領域６３ａ，６３ｂの各幅は、中央部６４から離間するほど、減少している。以上により、出射面６３の幅は、両端部６５ａ，６５ｂに向かうに従い、次第に狭くなっている。
【００３１】
図２に示す入射面６１は、減衰部６２を挟んで出射面６３の反対側に位置している。入射面６１は、出射面６３に沿って円弧状に湾曲しつつ、帯状に延伸している。入射面６１は、中央部６１ｃ、両端領域６１ａ，６１ｂ、及び中間領域６１ｄ，６１ｅを有している。
【００３２】
中央部６１ｃは、入射面６１のうちで、減衰部６２を挟んで出射面６３の中央部６４の反対側に位置している。中央部６１ｃは、表示方向ＳＤと実質的に直交する平面である。両端領域６１ａ，６１ｂは、入射面６１のうちで、減衰部６２を挟んで、両端部６５ａ，６５ｂの反対側に位置する領域である。両端領域６１ａ，６１ｂは、中央部６１ｃよりも背面方向ＢＤに配置されている。両端領域６１ａ，６１ｂは、それぞれ入射遮光部８１によって覆われている。入射遮光部８１は、コンビネーションメータ１００（図１参照）の各構成を収容する筐体８０（図１参照）の一部であって、当該筐体８０を構成するケース部材によって形成されている。入射遮光部８１は、インジケータ出射部５３及び両端領域６１ａ，６１ｂの間に配置され、これらによって挟まれている。入射遮光部８１は、両端領域６１ａ，６１ｂへの光の入射を妨げる。
【００３３】
中間領域６１ｄ，６１ｅは、入射面６１のうちで、減衰部６２を挟んで、先細領域６３ａ，６３ｂの反対側に位置する領域である。中間領域６１ｄ，６１ｅは、中央部６１ｃと両端領域６１ａ，６１ｂとを連続させている。一方の中間領域６１ｄは、一方の端領域６１ａに向かうに従い、厚さ方向にて対向する先細領域６３ａから離間している。他方の中間領域６１ｅは、他方の端領域６１ｂに向かうに従い、厚さ方向にて対向する先細領域６３ｂから離間している。
【００３４】
図２，５，６に示すように、減衰部６２は、入射面６１及び出射面６３の間に形成されている。減衰部６２は、着色透過部材６８の光を減衰させる特性により、入射面６１から出射面６３に向かう光を減衰させる。減衰部６２は、中央部分６２ｃ及び両端部分６２ａ，６２ｂを有している。中央部分６２ｃは、減衰部６２のうちで、出射面６３の中央部６４と入射面６１の中央部６１ｃとに間に位置する部分である。一方の端部分６２ａは、減衰部６２のうちで、先細領域６３ａと中間領域６１ｅ及び端領域６１ａとの間に位置する部分である。他方の端部分６２ｂは、減衰部６２のうちで、先細領域６３ｂと中間領域６１ｅ及び端領域６１ｂとの間に位置する部分である。こうした減衰部６２につき、出射面６３から入射面６１までの間に形成される厚さは、出射面６３の中央部６４から両端部６５ａ，６５ｂに向かうに従い、厚くなっている。詳記すると、中央部分６２ｃの厚さ（図２，５のｈｃを参照）は、実質的に一定とされている。対して、一方の端部分６２ａの厚さは、中央部分６２ｃから離間するに従い、漸増している。同様に、他方の端部分６２ｂの厚さ（図２，６のｈｅを参照）は、中央部分６２ｃから離間するに従い、漸増している。以上のように、両端部分６２ａ，６２ｂが中央部分６２ｃよりも厚くされていることにより、入射面６１から出射面６３へと向かう光を減衰させる作用は、両端部６５ａ，６５ｂに向かうほど、強く発揮されるようになる。
【００３５】
図３，５，６に示すように、弧状壁６６は、遮光部材６９の後述する出射遮光部６９ａから表示方向ＳＤに突出するよう、形成されている。弧状壁６６は、出射遮光部６９ａを厚さ方向に貫通している。弧状壁６６は、表示板３０（図１参照）の縁部に沿うように、円弧状に延設されている。弧状壁６６は、突出方向の先端である頂面６６ａにより、出射面６３を形成している。頂面６６ａは、表示方向ＳＤと直交する仮想の平面ＢＰに対して傾斜する姿勢に形成されている。具体的に頂面６６ａは、内周側に向かうほど、背面方向ＢＤに傾斜している。
【００３６】
遮光部材６９は、視認者の見かけ上で、周辺発光領域１３の周囲に形成されている。遮光部材６９は、出射遮光部６９ａを有している。出射遮光部６９ａは、周辺発光領域１３に沿って帯板状に延伸することにより、弧状壁６６の基端部分の周囲を全周に亘って囲んでいる。出射遮光部６９ａは、着色透過部材６８のうちで弧状壁６６を除く領域を覆うことにより、当該領域から表示方向ＳＤへの光の出射を遮っている。
【００３７】
ここまで説明した構成によれば、図２に示すように、インジケータ光源４３から放射された光は、インジケータ入射部５１からインジケータ導光体５０に入射する。そして、インジケータ導光体５０内にて拡散された光が、インジケータ出射部５３から入射面６１に向けて出射される。インジケータ出射部５３から出射された光は、入射遮光部８１によって覆われた両端領域６１ａ，６１ｂを除く中央部６１ｃ及び中間領域６１ｄ，６１ｅから、着色透過部材６８に入射する。
【００３８】
こうして着色透過部材６８に入射した光のうちで、減衰部６２の中央部分６２ｃを表示方向ＳＤに進む光は、透過する減衰部６２の厚さが小さいため、減衰作用を僅かに受けるに留まり得る。一方で、減衰部６２の両端部分６２ａ，６２ｂを表示方向ＳＤに進む光は、透過する減衰部６２の厚さが大きいため、減衰作用を強く受ける。加えて、両端部分６２ａ，６２ｂの厚さが連続的に厚くされる減衰部６２の形状によれば、こうした減衰作用は、出射面６３の両端部６５ａ，６５ｂに向かうに従って、次第に強く発揮されるようになる。その結果、出射面６３から出射される出射光の光量は、この出射面６３の延伸方向に沿って円滑に減少することとなる。したがって、周辺発光領域１３は、中央部６４から両端部６５ａ，６５ｂに向かって、滑らかに明るさを減少させるグラデーションを表示することができる。
【００３９】
加えて本実施形態では、先細領域６３ａ，６３ｂにおいて、出射光を出射させる出射面６３自体の幅が、次第に狭くなっていく。故に、先細領域６３ａ，６３ｂから出射される出射光の光量も、両端部６５ａ，６５ｂに向かうに従って、連続的且つ確実に減少する。このように、出射面６３の形状による出射光の光量低減作用が、減衰部６２による減衰作用と相俟って発揮されることによれば、出射光の光量は、両端部６５ａ，６５ｂに向かうに従い、さらに円滑且つ確実に減少し得る。よって、グラデーションにおける明るさの減少を確実且つ滑らかに生じさせることが可能になる。したがって、両端部６５ａ，６５ｂにて周辺発光領域１３が自然に消失するような、優れた見映えの意匠が、実現される。
【００４０】
また本実施形態では、入射面６１の両端領域６１ａ，６１ｂが入射遮光部８１によって覆われているため、この両端領域６１ａ，６１ｂには光が入射し難くなる。そのため、両端領域６１ａ，６１ｂの表示方向ＳＤに位置する両端部６５ａ，６５ｂ近傍から出射される出射光の光量は、確実に減少し得る。このような入射遮光部８１による遮光作用が、減衰部６２による減衰作用と相俟って発揮されることによれば、出射光の光量は、両端部６５ａ，６５ｂに向かうに従い、さらに円滑且つ確実に減少し得る。よって、グラデーションにおける明るさの減少を確実且つ滑らかに生じさせることが可能となる。したがって、両端部６５ａ，６５ｂにて周辺発光領域１３が自然に消失するような、優れた見映えの意匠が、実現される。
【００４１】
さらに本実施形態によれば、インジケータ光源４３から放射された光は、インジケータ導光体５０によって拡散された後、入射面６１に導光される。こうして、着色透過部材６８に入射する光のムラが予め均されることにより、減衰部６２の減衰作用によって形成される周辺発光領域１３のグラデーションは、いっそう滑らかに明るさを変化させることができる。
【００４２】
また加えて本実施形態によれば、表示領域１１の輪郭に沿って弧状に湾曲する出射面６３の形状により、表示領域１１の外周側に形成される周辺発光領域１３は、表示領域１１を加飾することができる。故に、滑らかに明るさを減少させるグラデーションの意匠によって、コンビネーションメータ１００の見映えを効果的に向上させることが可能になる。
【００４３】
さらに加えて本実施形態のような弧状壁６６の頂面６６ａに形成される出射面６３は、狭く細長い領域となる。故に、こうした出射面６３に、従来の印刷や転写等によって延伸方向に濃淡の変化するグラデーションを正確に形成することは、困難となる。さらに、頂面６６ａが傾斜した姿勢に形成さされる形態であれば、印刷等による上述のグラデーションの形成は、いっそう困難となる。
【００４４】
故に、頂面６６ａによって形成した出射面６３を周辺発光領域１３とし、減衰部６２による減衰作用によってグラデーションを表示させた立体的な意匠は、従来の印刷等によって実現される平面的な意匠とは明確に異なるものとなる。したがって、周辺発光領域１３は、視認者の目を惹く効果を確実に発揮できるようになる。そして、こうした効果は、頂面６６ａが傾斜した形態であれば、いっそう高められるのである。
【００４５】
またさらに本実施形態のように、半透明のスモーク材よりなる着色透過部材６８に入射面６１及び出射面６３が形成される構成であれば、これら入射面６１及び出射面６３の間の部分が、減衰部６２となる。故に、上述のようなスモーク材を用いた構成は、周辺発光領域１３の発光に係る構成の複雑化を回避しつつ、見映えに優れるグラデーションを獲得するために好適なのである。
【００４６】
尚、本実施形態において、周辺発光領域１３が特許請求の範囲に記載の「発光領域」に相当し、インジケータ光源４３が特許請求の範囲に記載の「光源」に相当し、インジケータ導光体５０が特許請求の範囲に記載の「導光部材」に相当する。また、着色透過部材６８が特許請求の範囲に記載の「透光部材」に相当し、中央部６４が特許請求の範囲に記載の「出射面の中央」に相当し、弧状壁６６が特許請求の範囲に記載の「突出壁」に相当する。そして、コンビネーションメータ１００が特許請求の範囲に記載の「表示装置」に相当する。
【００４７】
（他の実施形態）
以上、本発明による一実施形態について説明したが、本発明は、上記実施形態に限定して解釈されるものではなく、本発明の要旨を逸脱しない範囲内において種々の実施形態及び組み合わせに適用することができる。
【００４８】
上記実施形態では、灰色に着色されたスモーク材である着色透過部材６８が採用されていた。しかし、着色透過部材に着色される色は、灰色に限定されない。また、着色透過部材に着色される色と、インジケータ光源の光源色とを組み合わせることにより、周辺発光領域は、明るさと発光色とを、共に滑らかに変化させることができるようになる。
【００４９】
例えば、上記実施形態の変形例１では、着色透過部材は、黄色に着色されている。また、インジケータ光源の発光色は、青色とされている。以上の構成による変形例１では、着色透過部材によるフィルター効果により、短い波長域の光ほど減衰作用が生じる。そのため、出射面の中央部から出射される光は、高い輝度を維持し、且つ、光源色に近似した青色となる。一方で、出射面の先細領域から出射される光は、両端部に向かうに従って、水色に変化しつつ、輝度を低下させる。以上のようにして、青色のグラデーションが、周辺発光領域に表示されるようになる。
【００５０】
また、上記実施形態の別の変形例２では、着色透過部材は、緑色に着色されている。また、インジケータ光源の発光色は、赤色とされている。以上の構成による変形例２では、出射面から出射される光は、中央部から両端部に向かうに従って、輝度の低下を伴いながら、赤色からオレンジ色へと変化する。さらに別の変形例３では、着色透過部材は、青色に着色されている。また、インジケータ光源の発光色は、黄色とされている。以上の構成による変形例３では、出射面から出射される光は、中央部から両端部に向かうに従って、輝度の低下を伴いながら、黄色から黄緑色へと変化する。
【００５１】
また加えて、上記実施形態のさらに別の変形例４では、着色透過部材は、灰色に着色されるとともに、黄色の蛍光剤を含有している。また、インジケータ光源の発光色は、青色とされている。以上の構成による変形例４では、出射面から出射される光は、中央部から両端部に向かうに従って、輝度の低下を伴いながら、青色から水色、そして白色へと次第に変化する。
【００５２】
上記実施形態では、出射面６３の幅は、両端部６５ａ，６５ｂに向かうに従って狭められていた。しかし、出射面の形状は、適宜変更されてよい。例えば、出射面の幅は、両端部まで一定のままであってもよい。また、上記実施形態では、中央部６４と先細領域６３ａ，６３ｂとの境界から、幅の減少が開始されていた。しかし、幅の減少が開始される位置は、適宜変更されてよい。例えば、一定の幅を維持する中央部６４が省略されることにより、延伸方向における出射面の中心から、幅の減少が開始されていてもよい。
【００５３】
上記実施形態では、両端部分６２ａ，６２ｂにおいて、減衰部６２の厚さが増加していた。しかし、減衰部６２の厚さの増加が始まる位置は、適宜変更されてよい。例えば、一定の厚さを維持する中央部分６２ｃが省略されることにより、延伸方向における減衰部６２の中心から、厚さの増加が開始されていてもよい。
【００５４】
上記実施形態では、筐体８０を構成するケース部材によって入射遮光部８１が形成されていたが、こうした入射遮光部は、例えば両端領域６１ａ，６１ｂに施された遮光性の印刷等によって形成されていてもよい。また、入射遮光部が省略されることで、両端領域６１ａ，６１ｂに光が入射してもよい。
【００５５】
上記実施形態では、インジケータ導光体５０が入射面６１に光を導光していた。こうした「導光部材」に相当する構成は、適宜変更されてよい。例えば、「導光部材」は、複数のインジケータ光源から入射させた光を、半透過プリズムの入射面に向けて出射させる構成であってもよい。又は、複数の「導光部材」によって、入射面に光が導光されてもよい。さらに、「導光部材」が省略されることにより、光源から放射された光が、直接的に入射面に入射する構成であってもよい。
【００５６】
上記実施形態では、周辺発光領域１３は、表示領域１１の左右に配置されていた。しかし、周辺発光領域１３の数、形状、及び配置は、適宜変更可能である。例えば、水平方向に並ぶタコメータ及びスピードメータの上方に、水平方向に延伸する帯状の周辺発光領域が形成されていてもよい。又は、タコメータ等の表示領域１１内に、周辺発光領域が形成されてもよい。
【００５７】
上記実施形態では、弧状壁６６の傾斜した頂面６６ａに出射面６３が形成されていた。しかし、出射面６３の形状は、適宜変更されてよい。例えば、出射面は、出射遮光部６９ａのおもて面と面一に形成されていてもよい。さらに、出射面には、出射光を拡散させるシボ等が形成されていてもよい。
【００５８】
上記実施形態では、半透過プリズム６０は、二色成形によって形成されていたが、着色透過部材及び遮光部材は、別々に成形された後、互いに組み付けられていてもよい。また、減衰部を形成するとは別に、出射面又は入射面を形成する部材が設けられていてもよい。さらに、着色透過部材に施される着色は、減衰部の厚さによって光の減衰量が調整可能であれば、均質でなくてもよい。
【００５９】
以上、車両に搭載されるコンビネーションメータにおいて、タコメータのアンビエントによるインジケータ表示に、本発明を適用した例を説明した。しかし、本発明は、運転者の周辺視野による認知を目的としている、ぼんやりとした弱い光によるアンビエント表示に限らず、鮮明な通常の発光表示に適用することができる。さらに、本発明は、タコメータのインジケータ表示に限らず、例えばスピードメータ、パワーメータ、及び燃費計等の種々のインジケータ表示に適用することができる。さらに、車両用に限らず、各種民生用機器、各種輸送機器等に用いられる表示装置全般に、本発明は適用されてよい。
【符号の説明】
【００６０】
ＳＤ  表示方向、ＢＰ  仮想の平面、１１  表示領域、１３  周辺発光領域（発光領域）、４３  インジケータ光源（光源）、５０  インジケータ導光体（導光部材）、６０  半透過プリズム、６１  入射面、６１ａ，６１ｂ  両端領域、６２  減衰部、６３  出射面、６４  中央部（中央）、６５ａ，６５ｂ  両端部、６６  弧状壁（突出壁）、６６ａ  頂面、６８  着色透過部材（透光部材，半透過材）、６９ａ  出射遮光部、８１  入射遮光部、１００  コンビネーションメータ（表示装置）
【図１】
2014224712.tif 000003
【図２】
2014224712.tif 000004
【図３】
2014224712.tif 000005
【図４】
2014224712.tif 000006
【図５】
2014224712.tif 000007
【図６】
2014224712.tif 000008